(57)【要約】【課題】表示装置のワイド画面に見栄え良く表示することが可能な縦撮り画像及び横撮り画像を撮像する撮像装置、撮像表示システム及び撮像方法を提供する。【解決手段】撮像装置１に備えられた処理部１４は、姿勢センサ１１から与えられた姿勢信号又は受付部１２が受付けた選択指示により横撮り又は縦撮りのいずれの状態にあるかを判定する。処理部１４は、判定結果に応じて撮像素子１３が出力する画像データから撮像面１３１のアスペクト比の比率と異なる比率を有する矩形状の画像データを抽出する。処理部１４は、抽出した画像データに判定結果を付加して記憶媒体書込部１５に与え、記憶媒体書込部１５に挿入された記憶媒体２に書き込む。【選択図】図１
2008288909.tif 000002
【特許請求の範囲】
【請求項１】
被写体を矩形状の撮像面で撮像して画像データを出力する撮像素子を備え、該撮像素子が出力する画像データを用いて、外部表示装置に設けられた矩形状の表示画面に表示させる画像データを記憶する撮像装置において、
前記撮像面の長辺が略水平方向及び略鉛直方向のいずれの方向を向いているかを判定する判定手段と、
該判定手段による判定結果に応じて、前記撮像素子が出力する画像データから前記撮像面の短辺に対する長辺の比率と異なる比率を有する矩形状の画像データを抽出する抽出手段と、
該抽出手段が抽出した画像データに前記判定結果を付加して記憶する記憶部と
を備えることを特徴とする撮像装置。
【請求項２】
前記撮像面は、前記表示画面の比率と略同一の比率を有し、
前記抽出手段は、前記判定手段により前記撮像面の長辺が略鉛直方向を向いていると判定された場合、前記撮像素子が出力する画像データから前記撮像面の比率よりも小さい比率を有する矩形状の画像データを抽出するよう構成してあること
を特徴とする請求項１に記載の撮像装置。
【請求項３】
前記撮像面は、前記表示画面の比率よりも小さい比率を有し、
前記抽出手段は、前記判定手段により前記撮像面の長辺が略水平方向を向いていると判定された場合、前記撮像素子が出力する画像データから前記表示画面の比率と略同一の比率を有する矩形状の画像データを抽出するよう構成してあること
を特徴とする請求項１に記載の撮像装置。
【請求項４】
前記撮像面の長辺が略鉛直方向及び略水平方向のいずれの方向を向いているかを選択する指示を受付ける方向受付手段を備え、
前記判定手段は、前記方向受付手段が受けた指示を前記判定結果とするよう構成されてあること
を特徴とする請求項１乃至３のいずれか１つに記載の撮像装置。
【請求項５】
前記抽出手段による抽出を無効にする指示を受付ける無効受付手段を備え、
前記抽出手段は、前記無効受付手段が受付けた指示により抽出を無効にするように構成されてあること
を特徴とする請求項１乃至４のいずれか１つに記載の撮像装置。
【請求項６】
被写体を矩形状の撮像面で撮像して画像データを出力する撮像素子を備えた撮像装置と、該撮像装置から前記画像データを取得する画像取得手段及び取得した前記画像データを表示する矩形状の表示画面を備えた表示装置とから構成される撮像表示システムにおいて、
前記撮像装置は、
前記撮像面の長辺が略水平方向及び略鉛直方向のいずれの方向を向いているかを判定する判定手段と、
該判定手段による判定結果を前記画像データに付加する判定結果付加手段と
を備え、
前記表示装置は、
前記判定結果を取得する判定結果取得手段と、
取得した前記判定結果に応じて、前記画像取得手段が取得した画像データから前記撮像面の短辺に対する長辺の比率と異なる比率を有する矩形状の画像データを抽出する抽出手段と
を備え、
前記表示画面は、前記抽出手段が抽出した画像データを表示するように構成してあること
を特徴とする撮像表示システム。
【請求項７】
矩形状の表示画面を有する表示装置に表示させる画像データを矩形状の撮像面で撮像し画像データを出力する撮像素子を備えた撮像装置で記憶する撮像方法において、
前記撮像面の長辺が略水平方向及び略鉛直方向のいずれの方向を向いているかを判定し、
判定結果に応じて、前記撮像素子が出力する画像データから前記撮像面の短辺に対する長辺の比率と異なる比率を有する矩形状の画像データを抽出し、前記判定結果を付加して記憶すること
を特徴とする撮像方法。
【発明の詳細な説明】
【技術分野】
【０００１】
本発明は、見栄えの良い横撮り及び縦撮り画像が得られる撮像装置、撮像表示システム及び撮像方法に関する。
【背景技術】
【０００２】
近年、撮像素子で撮像した画像を画像データとして記憶する撮像装置（デジタルスチルカメラ）が広く使われている。このような撮像装置では、光学系を介して被写体からの光をＣＣＤ（Ｃｈａｒｇｅｄ  Ｃｏｕｐｌｅｄ  Ｄｅｖｉｃｅ）又はＣＭＯＳイメージセンサで構成された撮像素子で受光して画像データに変換し、内部メモリ等に記憶する。撮像装置で記憶された画像データは、撮像装置に設けられた表示部及び外部に設けられた表示装置等に与えられて表示される。
【０００３】
撮像装置には、長辺と短辺の比１６：９、４：３又は３：２を有する矩形状の撮像面を備えた撮像素子が広く用いられている。以下、長辺と短辺の比をアスペクト比と呼ぶ。撮像素子は、撮像装置の筐体を被写体の正立方向に保持した場合、撮像面の長辺が略水平方向を向いた状態で撮像面が直立し被写体と対面するように筐体内に取付けられている。撮影者は、被写体の形状及び構図等に応じて、撮像装置を正立方向に対して略９０度傾けた姿勢、すなわち撮像面の長辺が略鉛直方向を向いた状態で撮影する場合がある。撮像面の長辺が略水平方向及び略鉛直方向を向いた状態に撮像装置を保持し撮影することを、夫々横撮り及び縦撮りと呼ばれている。
【０００４】
また、横撮り及び縦撮りで撮像された画像を、夫々横撮り画像及び縦撮り画像と呼ぶ。縦撮り画像は、正立方向に対し時計回り方向又は半時計回り方向に略９０度回転し、天地が横転した横転画像となっている。例えば、直立した人物を縦撮りした場合、記録された縦撮り画像は、頭部を左又は右にした横転画像となっている。撮像装置の画像データの記録フォーマットとして広く採用されているＥｘｉｆ（Ｅｘｃｈａｎｇｅａｂｌｅ  ｉｍａｇｅ  ｆｉｌｅ  ｆｏｒｍａｔ）では、縦撮り及び横撮りによる画像の回転角度を示す回転情報が含まれており、撮影時の角度情報を記録する事もできる。
【０００５】
撮像装置及び表示装置は、画像データに含まれる回転情報を取得し、回転情報が縦撮りを示している場合、回転補正を施して正立表示する表示機能が備えられているものがある。撮像装置に備えられた撮像素子には、アスペクト比４：３及び１６：９の撮像面を有すものがある。また、テレビ等の撮像装置の外部に設置された表示装置の表示画面には、アスペクト比４：３の標準画面及び標準画面よりも横長のアスペクト比１６：９のワイド画面がある。ここでアスペクト比１６：９の撮像面を有する撮像素子を備えた撮像装置で撮影された画像データを、ワイド画面を備えた表示装置に表示する従来の方法について説明する。
【０００６】
図１２は、従来技術における横撮り画像データのワイド画面への表示を説明する説明図である。図中（ａ）、（ｂ）及び（ｃ）は、夫々撮像装置の筐体を保持する方向、撮像装置に記憶された横撮り画像データ及び横撮り画像データが表示されたワイド画面を有する表示装置を示す。図中の１０１及び２０１は、夫々アスペクト比１６：９の撮像面を有する撮像素子及び表示部を備えた撮像装置と、アスペクト比１６：９のワイド画面を備えた表示装置とを示す。
【０００７】
図中（ｂ）に示す横撮り画像データは、アスペクト比１６：９の正立画像となっており、回転角度０度の回転情報を含んでいる。横撮り画像データを取得した表示装置２０１は、回転補正を施すことなくワイド画面に表示する。横撮り画像データは、図中（ｃ）に示す表示装置２０１のワイド画面と同一のアスペクト比１６：９を有しているため、表示装置２０１のワイド画面に画像の表示されていない余白部分が生じることなく見栄え良く正立表示される。
【０００８】
図１３は、従来技術における縦撮り画像データのワイド画面への表示を説明する説明図である。図中（ａ）、（ｂ）及び（ｃ）は、夫々撮像装置１０１の筐体を保持する方向、撮像装置１０１に記憶された縦撮り画像データ及び縦撮り画像データが表示されたワイド画面を有する表示装置２０１を示す。図中（ｂ）に示す縦撮り画像データは、アスペクト比１６：９の横転画像となっており、回転角度＋９０度の回転情報を含んでいる。縦撮り画像データを取得した表示装置２０１は、回転情報に基づいて−９０度の回転補正を施してワイド画面に正立表示する。
【０００９】
回転補正を施した縦撮り画像は縦長の画像となり、表示装置２０１のワイド画面に表示された縦撮り画像の両脇に図中（ｃ）の斜線で示す広い空白部分が存在し、見栄えが悪い。特許文献１には、横撮り及び縦撮りに応じて撮像装置に備えられた正方形の表示画面にアスペクト比の異なる表示範囲を設定し見栄え良く正立表示する方法が記載されている。
【特許文献１】特開２００６−２０３７３２号公報
【発明の開示】
【発明が解決しようとする課題】
【００１０】
しかしながら、特許文献１に記載の方法では、記憶される縦撮り画像データのアスペクト比は撮像面のアスペクト比と同一であり、外部に設置された表示装置のワイド画面に正立表示した場合、図１３（ｃ）に示す例のように見栄えが悪いという問題があった。また、アスペクト比４：３を有する撮像面を備えた撮像装置においても、横撮り画像データを外部に設置された表示装置のワイド画面に正立表示した場合、表示された画像の左右に広い空白部分が存在し、見栄えが悪いという問題があった。
【００１１】
本発明は斯かる事情に鑑みてなされたものであり、横撮り及び縦撮りのいずれの状態にあるかを判定する判定手段と、判定結果に応じて撮像素子が出力する画像データから矩形状の画像データを抽出する抽出手段と、抽出した画像データに判定結果を付加して記憶する記憶部とを備えることにより、ワイド画面を有する表示装置に狭い余白部分を有して見栄え良く表示される画像データが、撮影者による横撮り及び縦撮りの指示を必要とせずに得られる撮像装置を提供することを目的とする。
【００１２】
また、本発明の他の目的は、外部の表示装置に設けられたワイド画面のアスペクト比の比率と略同一の比率を有する撮像面を備えた撮像装置で縦撮りする場合、撮像素子が出力する画像データからワイド画面の比率よりも小さい比率を有する矩形状の画像データを抽出するように抽出手段を構成することにより、ワイド画面に狭い余白部分を有して見栄え良く表示される画像データを得ると共に、横撮りする場合、撮像素子が出力する画像データの全範囲を有効に用いて見栄え良く表示される画像データを得ることが可能となる撮像装置を提供することにある。
【００１３】
また、本発明の他の目的は、表示装置のワイド画面よりも小さいアスペクト比の比率を有する撮像面を備えた撮像装置で横撮りする場合、撮像素子が出力する画像データからワイド画面の比率と略同一の比率を有する矩形状の画像データを抽出するように抽出手段を構成することにより、ワイド画面に狭い余白部分を有して見栄え良く表示される画像データを得ると共に、縦撮りで撮影する場合、撮像素子が出力する画像データの全範囲を有効に用いて見栄え良く表示される画像データを得ることが可能となる撮像装置を提供することにある。
【００１４】
また、本発明の他の目的は、縦撮り及び横撮りのいずれかを選択する指示を受付ける方向受付手段を備えることにより、撮影者が横撮り及び縦撮りのいずれかを適宜選択して自由度の高い撮影を可能にする撮像装置を提供することにある。
【００１５】
また、本発明の他の目的は、抽出手段による抽出を無効にする指示を受付ける無効受付手段を備えることにより、撮影者が抽出手段による画像データの抽出を適宜無効にして自由度の高い撮影を可能にする撮像装置を提供することにある。
【００１６】
また、本発明の他の目的は、横撮り及び縦撮りのいずれの状態にあるかを判定し判定結果を画像データに付加して記憶する撮像装置と、判定結果に応じて取得した画像データから、矩形状の画像データを抽出してワイド画面に表示する表示装置とから構成することにより、横撮り及び縦撮り画像データをワイド画面に狭い空白部分を有して見栄え良く表示する撮像表示システムを提供することにある。
【００１７】
また、本発明の他の目的は、横撮り及び縦撮りのいずれの状態にあるかを判定し、判定結果に応じて撮像素子が出力する画像データから矩形状の画像データを抽出し、判定結果を付加して記憶することにより、ワイド画面を有する表示装置に表示した場合、見栄えの良い画像を撮像装置で記憶する撮像方法を提供することにある。
【課題を解決するための手段】
【００１８】
本発明に係る撮像装置は、被写体を矩形状の撮像面で撮像して画像データを出力する撮像素子を備え、該撮像素子が出力する画像データを用いて、外部表示装置に設けられた矩形状の表示画面に表示させる画像データを記憶する撮像装置において、前記撮像面の長辺が略水平方向及び略鉛直方向のいずれの方向を向いているかを判定する判定手段と、該判定手段による判定結果に応じて、前記撮像素子が出力する画像データから前記撮像面の短辺に対する長辺の比率と異なる比率を有する矩形状の画像データを抽出する抽出手段と、該抽出手段が抽出した画像データに前記判定結果を付加して記憶する記憶部とを備えることを特徴とする。
【００１９】
本発明にあっては、判定手段により横撮り又は縦撮りのいずれの状態にあるかが判定される。抽出手段は、判定結果に応じて撮像素子が出力する画像データから撮像面のアスペクト比の比率と異なる比率を有する矩形状の画像データを抽出し、判定結果を付加して記憶する。
【００２０】
本発明に係る撮像装置は、前記撮像面は、前記表示画面の比率と略同一の比率を有し、前記抽出手段は、前記判定手段により前記撮像面の長辺が略鉛直方向を向いていると判定された場合、前記撮像素子が出力する画像データから前記撮像面の比率よりも小さい比率を有する矩形状の画像データを抽出するよう構成してあることを特徴とする。
【００２１】
本発明にあっては、表示装置の表示画面と同一の比率を有する撮像面を備え、抽出手段は、判定手段が縦撮りと判定した場合、撮像面の比率よりも小さい比率を有する画像データを抽出し、記憶部により判定結果が付加されて記憶される。一方、判定手段が横撮りと判定した場合、抽出手段による抽出は行われず、撮像素子が出力する全範囲の画像データに判定結果が付加されて記憶される。
【００２２】
本発明に係る撮像装置は、前記撮像面は、前記表示画面の比率よりも小さい比率を有し、前記抽出手段は、前記判定手段により前記撮像面の長辺が略水平方向を向いていると判定された場合、前記撮像素子が出力する画像データから前記表示画面の比率と略同一の比率を有する矩形状の画像データを抽出するよう構成してあることを特徴とする。
【００２３】
本発明にあっては、表示装置の表示画面の比率よりも小さい比率を有する撮像面を備え、抽出手段は、判定手段が横撮りと判定した場合、表示画面の比率と略同一の比率を有する画像データを抽出し、記憶部により判定結果が付加されて記憶される。一方、判定手段が縦撮りと判定した場合、抽出手段による抽出は行わず、撮像素子が出力する全範囲の画像データに判定結果が付加されて記憶される。
【００２４】
本発明に係る撮像装置は、前記撮像面の長辺が略鉛直方向及び略水平方向のいずれの方向を向いているかを選択する指示を受付ける方向受付手段を備え、前記判定手段は、前記方向受付手段が受けた指示を前記判定結果とするよう構成されてあることを特徴とする。
【００２５】
本発明にあっては、縦撮り及び横撮りのいずれかの状態が撮影者により選択される。
【００２６】
本発明に係る撮像装置は、前記抽出手段による抽出を無効にする指示を受付ける無効受付手段を備え、前記抽出手段は、前記無効受付手段が受付けた指示により抽出を無効にするように構成されてあることを特徴とする。
【００２７】
本発明にあっては、撮影者による無効の指示を受け付けた場合、抽出手段は、抽出を無効にする。
【００２８】
本発明に係る撮像表示システムは、被写体を矩形状の撮像面で撮像して画像データを出力する撮像素子を備えた撮像装置と、該撮像装置から前記画像データを取得する画像取得手段及び取得した前記画像データを表示する矩形状の表示画面を備えた表示装置とから構成される撮像表示システムにおいて、前記撮像装置は、前記撮像面の長辺が略水平方向及び略鉛直方向のいずれの方向を向いているかを判定する判定手段と、該判定手段による判定結果を前記画像データに付加する判定結果付加手段とを備え、前記表示装置は、前記判定結果を取得する判定結果取得手段と、取得した前記判定結果に応じて、前記画像取得手段が取得した画像データから前記撮像面の短辺に対する長辺の比率と異なる比率を有する矩形状の画像データを抽出する抽出手段とを備え、前記表示画面は、前記抽出手段が抽出した画像データを表示するように構成してあることを特徴とする。
【００２９】
本発明にあっては、被写体を撮像し画像データを記憶する撮像装置と、画像データを表示する表示装置とにより、撮像表示システムが構成される。撮像装置に設けられた判定手段は、縦撮り及び横撮りのいずれの状態にあるかを判定する。撮像装置は、判定手段の判定結果を画像データに付加して記憶部に記憶する。表示装置に設けられた画像取得手段及び判定結果取得手段は、夫々撮像装置の記憶部から画像データ及び画像データに含まれる判定結果を取得する。表示装置に設けられた抽出手段は、取得した判定結果に基づき、取得した画像データから、画像データのアスペクト比の比率と異なる比率を有する矩形状の画像データを抽出し、表示画面に抽出された画像データが表示される。
【００３０】
本発明に係る撮像方法は、矩形状の表示画面を有する表示装置に表示させる画像データを矩形状の撮像面で撮像し画像データを出力する撮像素子を備えた撮像装置で記憶する撮像方法において、前記撮像面の長辺が略水平方向及び略鉛直方向のいずれの方向を向いているかを判定し、判定結果に応じて、前記撮像素子が出力する画像データから前記撮像面の短辺に対する長辺の比率と異なる比率を有する矩形状の画像データを抽出し、前記判定結果を付加して記憶することを特徴とする。
【００３１】
本発明にあっては、矩形状の表示画面を有する表示装置に表示させる画像データを矩形状の撮像面を有する撮像素子を備えた撮像装置で記憶する場合、縦撮り及び横撮りのいずれの状態にあるかを判定し、判定結果に応じて撮像素子が出力する画像データから撮像面のアスペクト比の比率と異なる比率を有する矩形状の画像データを抽出し、判定結果を付加して記憶する。
【発明の効果】
【００３２】
本発明にあっては、横撮り及び縦撮りのいずれの状態にあるかを判定する判定手段と、判定結果に応じて撮像素子が出力する画像データから矩形状の画像データを抽出する抽出手段と、抽出した画像データに判定結果を付加して記憶する記憶部とを備えることにより、ワイド画面を有する表示装置に狭い余白部分を有して見栄え良く表示される画像データが、撮影者による横撮り及び縦撮りの指示を必要とせずに得ることが可能となる。
【００３３】
また、本発明にあっては、外部の表示装置に設けられたワイド画面のアスペクト比の比率と略同一の比率を有する撮像面を備えた撮像装置で縦撮りする場合、撮像素子が出力する画像データからワイド画面の比率よりも小さい比率を有する矩形状の画像データを抽出するように抽出手段を構成することにより、ワイド画面に狭い余白部分を有して見栄え良く表示される画像データを得ると共に、横撮りする場合、撮像素子が出力する画像データの全範囲を有効に用いて見栄え良く表示される画像データを得ることが可能となる。
【００３４】
また、本発明にあっては、表示装置のワイド画面よりも小さいアスペクト比の比率を有する撮像面を備えた撮像装置で横撮りする場合、撮像素子が出力する画像データからワイド画面の比率と略同一の比率を有する矩形状の画像データを抽出するように抽出手段を構成することにより、ワイド画面に狭い余白部分を有して見栄え良く表示される画像データを得ると共に、縦撮りで撮影する場合、撮像素子が出力する画像データの全範囲を有効に用いて見栄え良く表示される画像データを得ることが可能となる。
【００３５】
また、本発明にあっては、横撮り及び縦撮りのいずれかを選択する指示を受付ける受付手段を備えることにより、撮影者が横撮り及び縦撮りのいずれかを適宜選択して自由度の高い撮影が可能となる。
【００３６】
また、本発明にあっては、抽出手段による抽出を無効にする指示を受付ける無効受付手段を備えることにより、撮影者が抽出手段による画像データの抽出を適宜無効にして自由度の高い撮影が可能となる。
【００３７】
また、本発明にあっては、横撮り及び縦撮りのいずれの状態にあるかを判定し判定結果を画像データに付加して記憶する撮像装置と、判定結果に応じて取得した画像データから、撮像面のアスペクト比の比率と異なる比率の矩形状の画像データを抽出してワイド画面に表示する表示装置とから構成することにより、横撮り及び縦撮り画像データをワイド画面に狭い空白部分を有して見栄え良く表示することが可能となる。
【００３８】
また、本発明の他の目的は、横撮り及び縦撮りのいずれの状態にあるかを判定し、判定結果に応じて撮像素子が出力する画像データから矩形状の画像データを抽出し、判定結果を付加して記憶することにより、ワイド画面を有する表示装置に表示した場合、見栄えの良い画像を撮像装置で記憶することが可能となる。
【発明を実施するための最良の形態】
【００３９】
実施の形態１
以下、本発明をその実施の形態を示す図面を参照して具体的に説明する。図１は、実施の形態１に係る撮像装置及び記憶媒体の構成を示すブロック図である。図中１は、撮像装置であり、被写体からの光を受光する撮像面１３１を有する撮像素子１３、撮像装置１の筐体の姿勢を検知する姿勢センサ１１、操作を受付ける受付部１２、撮像指示を受付けるシャッタボタン２０、撮像した画像データを表示する表示部１７、画像データを外部の記憶媒体に書き込む記憶媒体書込部１５及び画像データを出力するデータ出力部１６を備えている。
【００４０】
図中２は、外部から記憶媒体書込部１５に挿入され、撮像装置１により撮像された画像データが書き込まれる記憶媒体であり、メモリ又はメモリカード等である。また、撮像装置１は、撮像素子１３が出力する画像データ、姿勢センサ１１が検出した姿勢信号及び受付部１２が受付けた操作に係る信号を処理すると共に各ハードウェアを制御する処理部１４と、処理部１４で行われる演算処理等を実行させるプログラムが格納されたＲＯＭ１９と、処理部１４の演算処理中に生じるデータを記憶するＲＡＭ１８とを備えている。
【００４１】
姿勢センサ１１は、加速度検出素子等で構成され、撮像装置１の筐体に固定されており、筐体の傾斜を示す姿勢信号を処理部１４に与える。撮像面１３１は、矩形状であり、アスペクト比１６：９を有する。撮像素子１３は、撮影者が撮像装置１を被写体に向けて正立方向に保持した場合、撮像面１３１の長辺が略水平方向に向かう方向となり、撮像面１３１が直立して被写体に対面するように撮像装置１の筐体に取付けられている。
【００４２】
処理部１４は、姿勢センサ１１から与えられる姿勢信号により撮像面１３１の長辺が略水平方向を向いた状態に筐体を保持して撮影を行う横撮り又は略鉛直方向を向いた状態で筐体を保持して撮影を行う縦撮りのいずれの状態にあるかを判定する。また、処理部１４は、受付部１２が受付けた選択操作によっても、横撮り又は縦撮りのいずれの状態にあるかを判定することが可能となるよう構成されている。撮像面１３１で受光した被写体からの光は、画像データに変換され撮像素子１３から処理部１４に対して出力される。
【００４３】
処理部１４は、横撮り又は縦撮りの判定結果に応じて撮像素子１３から出力される画像データから矩形状の画像データを抽出する。処理部１４は、抽出した画像データを即時に表示部１７に与えて表示し、表示部１７には撮像素子１３が受像している被写体の画像から抽出された画像が即時に表示される。また、処理部１４は、抽出された画像データに横撮り又は縦撮りに係る回転情報を付加して、記憶媒体書込部１５に与える。記憶媒体書込部１５は、記憶媒体２に画像データを書き込む。
【００４４】
処理部１４は、記憶媒体書込部１５に挿入された記憶媒体２に記憶されている画像データを読み取ってデータ出力部１６に出力することが可能に構成されている。データ出力部１６は、図示しない外部表示装置等のデータ転送線が接続され、データ転送線を介して画像データを出力する。撮像装置１は、アスペクト比１６：９のワイド画面を備えた表示装置に表示する画像データを撮影するためのワイド撮影モードを備えている。ワイド撮影モードは、撮影者による設定指示を受付部１２が受付けた場合、処理部１４に設定される。
【００４５】
処理部１４は、ワイド撮影モードが設定されている場合、横撮り又は縦撮りの判定結果に応じて撮像素子１３が出力する画像データから撮像面１３１のアスペクト比の比率と異なる比率を有する矩形状の画像データを抽出し、記憶媒体書込部１５に与えて記憶媒体２に書き込む。処理部１４は、ワイド撮影モードが設定されていない場合、画像データの抽出を行わず、撮像素子１３から出力される画像データの全範囲を記憶媒体書込部１５に与えて記憶する。また、処理部１４による画像データの抽出は、撮影者による無効指示を受付部１２が受付けた場合、無効にされる。
【００４６】
図２は、実施の形態１に係る縦撮りにおける画像データの抽出方法を説明する説明図である。図２中（ａ）、（ｂ）及び（ｃ）は、夫々、撮像素子１３が出力する画像データに設定された矩形状の抽出範囲、縦撮り画像から抽出された画像データが表示されたワイド画面、及び画像データの抽出が行われずに縦撮り画像が表示されたワイド画面を示す。処理部１４は、姿勢センサ１１から与えられる姿勢信号又は受付部１２が受付けた選択指示により縦撮りと判定した場合、撮像面１３１のアスペクト比の比率よりも小さい比率を有する内接矩形状の抽出範囲を撮像素子１３が出力する画像データ上に設定する。
【００４７】
図２（ａ）に示す例では、アスペクト比１６：９を有する撮像素子１３が出力する画像データの中央部に、アスペクト比４：３の内接矩形状の抽出範囲が斜線で示した範囲に設定されており、抽出範囲内に頭部を右に向けた人物の横転像が撮像されている。処理部１４が記憶媒体書込部１５に挿入された記憶媒体２に書き込んだ縦撮り画像データは、アスペクト比が４：３の横転画像となる。ワイド画面を有する表示装置は、データ出力部１６から出力される縦撮り画像データ又は記憶媒体２に書き込まれた縦撮り画像データを取得し、取得した縦撮り画像データに含まれる回転情報に基づいて横転画像に回転補正を施して正立画像を表示する。
【００４８】
図２（ｂ）に示す例では、回転補正により−９０度の回転を施されたアスペクト比４：３の縦撮り画像が正立表示されている。処理部１４は、姿勢センサ１１から与えられる姿勢信号により縦撮りと判定したとき、ワイド撮影モードが設定されていないとき及び抽出の無効指示を受付けたときのいずれかに該当する場合、抽出を行わず、処理部１４が記憶媒体書込部１５に挿入された記憶媒体２に書き込まれた画像データは、アスペクト比１６：９の横転画像となる。
【００４９】
図２（ｃ）に示す例では、回転補正により−９０度の回転を施されたアスペクト比１６：９の縦撮り画像が正立表示されている。図２（ｂ）に示す縦撮り画像の両脇に位置する空白部分は、図２（ｃ）に示す空白部分よりも狭くなっており、画像データの抽出により得られた縦撮り画像データは、見栄え良く表示されている。図２（ａ）に示す例ではアスペクト比４：３の抽出範囲を撮像素子１３が出力する画像データ上に設定する例を示したが、これに限るものではなく、アスペクト比１６：９の比率よりも小さい比率を有する矩形状の抽出範囲であれば良い。
【００５０】
図３及び図４は、実施の形態１に係る画像データの抽出処理の手順を示すフローチャートである。画像データの抽出処理は、ＲＯＭ１９から処理部１４が読込んだプログラムに従って実行される。処理部１４は、受付部１２に撮影者による操作を受付けさせる（ステップＳ１）。処理部１４は、受付部１２が受付けた操作が、画像データの抽出の無効を指示する操作、ワイド撮影モードの設定を指示する操作、並びに縦撮り及び横撮りのいずれの状態にあるかを選択指示する操作のいずれの操作であるかを判定する（ステップＳ２）。
【００５１】
処理部１４は、画像データの抽出の無効を指示する操作であると判定した場合（ステップＳ２で“無効”）、無効フラグをセットする（ステップＳ３）。処理部１４は、ワイド撮影モードの設定を指示する操作であると判定した場合（ステップＳ２で“ワイド”）、ワイドフラグをセットする（ステップＳ４）。処理部１４は、縦撮り及び横撮りのいずれの状態にあるかを選択指示する操作であると判定した場合（ステップＳ２で“選択”）、選択フラグをセットする（ステップＳ５）。
【００５２】
処理部１４は、無効フラグがセットされているか否かを判定する（ステップＳ６）。処理部１４は、無効フラグがセットされていないと判定した場合（ステップＳ６でＮＯ）、ワイドフラグが設定されているか否かを判定する（ステップＳ７）。処理部１４は、ワイドフラグがセットされている判定した場合（ステップＳ７でＹＥＳ）、選択フラグがセットされているか否かを判定する（ステップＳ８）。処理部１４は、選択フラグがセットされていないと判定した場合（ステップＳ８でＮＯ）、姿勢センサ１１から姿勢信号を取得する（ステップＳ９）。
【００５３】
処理部１４は、取得した姿勢信号から縦撮りの状態であるか否かを判定する（ステップＳ１０）。処理部１４は、選択フラグがセットされているか否かを判定するステップＳ８において、セットされていると判定した場合（ステップＳ８でＹＥＳ）、姿勢センサ１１から姿勢信号の取得を行わずに、受付部１２が受付けた選択指示に基づいて縦撮りの状態であるか否かを判定する（ステップＳ１０）。処理部１４は、縦撮りの状態であると判定した場合（ステップＳ１０でＹＥＳ）、撮像素子１３から与えられる画像データ上に前述の抽出範囲を設定する（ステップＳ１１）。
【００５４】
処理部１４は、撮像素子１３が出力する画像データから抽出範囲に設定された画像データを抽出する（ステップＳ１２）。処理部１４は、抽出した画像データを表示部１７に表示する（ステップＳ１３）。処理部１４は、無効フラグがセットされているか否かを判定するステップＳ６においてセットされていると判定した場合（ステップＳ６でＹＥＳ）、ワイドフラグがセットされているか否かを判定するステップＳ７においてセットされていないと判定した場合（ステップＳ７でＮＯ）、又は縦撮りの状態であるか否かを判定するステップＳ１０において縦撮りの状態にないと判定した場合（ステップＳ１０でＮＯ）、画像データの抽出を行わずに撮像素子１３が出力する全範囲の画像データを表示部１７に表示する（ステップＳ１３）。
【００５５】
処理部１４は、シャッタボタン２０がシャッタボタンの押下を検知したか否かを判定する（ステップＳ１４）。処理部１４は、押下を検知していないと判定した場合（ステップＳ１４でＮＯ）、受付部１２に撮影者による操作を受付けさせるステップＳ１に処理を戻す。処理部１４は、押下を検知したと判定した場合（ステップＳ１４でＹＥＳ）、無効フラグがセットされているか否かを判定する（ステップＳ１５）。処理部１４は、無効フラグがセットされていないと判定した場合（ステップＳ１５でＮＯ）、撮像素子１３が出力する画像データから抽出範囲に設定された画像データを抽出する（ステップＳ１６）。
【００５６】
処理部１４は、無効フラグがセットされていると判定した場合（ステップＳ１５でＹＥＳ）、撮像素子１３が出力する全範囲の画像データを取得する（ステップＳ１７）。処理部１４は、縦撮り又は横撮りに係る回転角度を示す回転情報を画像データに付加する（ステップＳ１８）。処理部１４は、回転情報を付加した画像データを記憶媒体書込部１５に与え、記憶媒体書込部１５に挿入された記憶媒体２に記憶し（ステップＳ１９）、画像データの抽出処理を終了する。
【００５７】
実施の形態２
撮像面１３１は、矩形状であり、アスペクト比４：３を有する。撮像素子１３は、撮影者が撮像装置１を正立方向に被写体に向けて保持した場合、撮像面１３１の長辺が略水平方向に向かう方向となり、撮像面１３１が直立して被写体に対面するように撮像装置１の筐体に取付けられている。処理部１４は、ワイド撮影モードが設定された状態で姿勢センサ１１から与えられる姿勢信号又は受付部１２が受付けた選択指示により横撮りと判定した場合、外部の表示装置に備えられたワイド画面のアスペクト比１６：９と略同一の比を有する内接矩形状の抽出範囲を撮像素子１３が出力する画像データ上に設定する。
【００５８】
図５は、実施の形態２に係る横撮りにおける画像データの抽出方法を説明する説明図である。図５に示す例では、アスペクト比４：３の撮像面１３１を有する撮像素子１３が出力する画像データの中央部に、アスペクト比１６：９の内接矩形状の抽出範囲が斜線で示した範囲に設定されている。処理部１４が記憶媒体書込部１５に挿入された記憶媒体２に記憶した画像データは、アスペクト比１６：９の正立画像となる。ワイド画面を有する表示装置は、データ出力部１６から出力される画像データ又は記憶媒体２に書き込まれた画像データを取得し、取得した画像データに含まれる回転情報に基づいて回転補正を行わずに表示する。
【００５９】
ワイド画面を有する表示装置に記録媒体２に記憶された横撮り画像データを表示する場合、ワイド画面のアスペクト比と同一の１６：９の横撮り画像が正立表示され、画像の表示されない余白部分が存在しない見栄えの良い表示画像が得られる。処理部１４は、姿勢センサ１１から与えられる姿勢信号により縦撮りと判定したとき、ワイド撮影モードが設定されていないとき及び画像データの抽出の無効が選択されているときのいずれかに該当する場合、画像データの抽出を行わず、撮像素子１３が出力する全範囲の画像データを記憶媒体書込部１５に与えて記憶媒体２に書き込む。
【００６０】
図６及び図７は、実施の形態２に係る画像データの抽出処理の手順を示すフローチャートである。画像データの抽出処理は、ＲＯＭ１９から処理部１４が読込んだプログラムに従って実行される。処理部１４は、受付部１２に撮影者による操作を受付けさせる（ステップＳ２１）。処理部１４は、受付部１２が受付けた操作が、画像データの抽出の無効を指示する操作、ワイド撮影モードの設定を指示する操作、並びに縦撮り及び横撮りのいずれの状態にあるかを選択指示する操作のいずれの操作であるかを判定する（ステップＳ２２）。
【００６１】
処理部１４は、画像データの抽出の無効を指示する操作であると判定した場合（ステップＳ２２で“無効”）、無効フラグをセットする（ステップＳ２３）。処理部１４は、ワイド撮影モードの設定を指示する操作であると判定した場合（ステップＳ２２で“ワイド”）、ワイドフラグをセットする（ステップＳ２４）。処理部１４は、縦撮り及び横撮りのいずれの状態にあるかを選択指示する操作であると判定した場合（ステップＳ２２で“選択”）、選択フラグをセットする（ステップＳ２５）。
【００６２】
処理部１４は、無効フラグがセットされているか否かを判定する（ステップＳ２６）。処理部１４は、無効フラグがセットされていないと判定した場合（ステップＳ２６でＮＯ）、ワイドフラグが設定されているか否かを判定する（ステップＳ２７）。処理部１４は、ワイドフラグがセットされていると判定した場合（ステップＳ２７でＹＥＳ）、選択フラグがセットされているか否かを判定する（ステップＳ２８）。処理部１４は、選択フラグがセットされていないと判定した場合（ステップＳ２８でＮＯ）、姿勢センサ１１から姿勢信号を取得する（ステップＳ２９）。
【００６３】
処理部１４は、取得した姿勢信号から横撮りの状態であるか否かを判定する（ステップＳ３０）。処理部１４は、選択フラグがセットされているか否かを判定するステップＳ２８において、セットされていると判定した場合（ステップＳ２８でＹＥＳ）、姿勢センサ１１から姿勢信号の取得を行わずに、受付部１２が受付けた選択指示に基づいて横撮りの状態であるか否かを判定する（ステップＳ３０）。処理部１４は、横撮りの状態であると判定した場合（ステップＳ３０でＹＥＳ）、撮像素子１３が出力する画像データ上に前述の抽出範囲を設定する（ステップＳ３１）。
【００６４】
処理部１４は、撮像素子１３が出力する画像データから抽出範囲に設定された画像データを抽出する（ステップＳ３２）。処理部１４は、抽出した画像データを表示部１７に表示する（ステップＳ３３）。処理部１４は、無効フラグがセットされているか否かを判定するステップＳ２６においてセットされていると判定した場合（ステップＳ２６でＹＥＳ）、ワイドフラグがセットされているか否かを判定するステップＳ２７においてセットされていないと判定した場合（ステップＳ２７でＮＯ）、又は横撮りの状態であるか否かを判定するステップＳ３０において横撮りの状態にないと判定した場合（ステップＳ３０でＮＯ）、画像データの抽出を行わずに撮像素子１３が出力する全範囲の画像データを表示部１７に表示する（ステップＳ３３）。
【００６５】
処理部１４は、シャッタボタン２０がシャッタボタンの押下を検知したか否かを判定する（ステップＳ３４）。処理部１４は、押下を検知していないと判定した場合（ステップＳ３４でＮＯ）、受付部１２に撮影者による操作を受付けさせるステップＳ２１に処理を戻す。処理部１４は、押下を検知したと判定した場合（ステップＳ３４でＹＥＳ）、無効フラグがセットされているか否かを判定する（ステップＳ３５）。処理部１４は、無効フラグがセットされていないと判定した場合（ステップＳ３５でＮＯ）、撮像素子１３が出力する画像データ上に設定された抽出範囲内の画像データを抽出する（ステップＳ３６）。
【００６６】
処理部１４は、無効フラグがセットされていると判定した場合（ステップＳ３５でＹＥＳ）、撮像素子１３が出力する全範囲の画像データを取得する（ステップＳ３７）。処理部１４は、縦撮り又は横撮りに係る回転角度を示す回転情報を画像データに付加する（ステップＳ３８）。処理部１４は、画像データを記憶媒体書込部１５に与えて記憶媒体書込部１５に挿入された記憶媒体２に記憶し（ステップＳ３９）、画像データの抽出処理を終了する。本実施の形態２の撮像面１３１は、アスペクト比４：３を有する例を示したが、これに限るものではなく、アスペクト比３：２を有しても良い。
【００６７】
本実施の形態２は以上の如き構成としてあり、撮像面１３１のアスペクト比が異なることの他、構成及び作用は実施の形態１と同様であるので対応する部分には同一の参照番号を付してその詳細な説明を省略する。
【００６８】
実施の形態３
図８は、実施の形態３における撮像表示システムの構成を示すブロック図である。図中１及び４は、それぞれ撮像装置及び表示装置を示している。撮像表示システムは、夫々異なる筐体を有する撮像装置１及び表示装置４から構成されている。データ転送線３は、撮像装置１に設けられたデータ出力部１６及び表示装置４に設けられたデータ入力部４１を接続しており、データ出力部１６から出力された画像データは、データ転送線３を介してデータ入力部４１に入力される。データ転送線３は、撮像装置１のデータ出力部１６及び表示装置４のデータ入力部４１から容易に取り外すことが可能に構成されている。
【００６９】
撮像素子１３の撮像面１３１で受光した被写体からの光は、画像データに変換され撮像素子１３から処理部１４に対して出力される。姿勢センサ１１は、撮像装置１の筐体に固定されており、筐体の傾斜に係る姿勢信号を処理部１４に与える。処理部１４は、姿勢センサ１１から与えられる姿勢信号により撮像面１３１の長辺が略水平方向を向いた状態で撮影を行う横撮り又は略鉛直方向を向いた状態で撮影を行う縦撮りのいずれの状態にあるかを判定する。
【００７０】
処理部１４は、判定結果を画像データに付加して記憶媒体書込部１５に与える。記憶媒体書込部１５は、外部から挿入されたＵＳＢメモリ又はメモリカード等の記憶媒体に画像データを書き込む。また、処理部１４は、記憶媒体書込部１５に挿入された記憶媒体に記憶された画像データを読み取ってデータ出力部１６に出力することが可能に構成されている。データ出力部１６は、与えられた画像データを接続されたデータ転送線３に出力する。表示装置４は、画像データが入力されるデータ入力部４１、操作を受付ける受付部４４、及び画像データを表示する表示画面４３１を有する表示部４３を備えている。
【００７１】
表示画面４３１は、アスペクト比１６：９のワイド画面となっている。また、表示装置４は、データ入力部４１に入力された画像データの処理及び受付部４４が受付けた操作に応じた処理を実行すると共に各ハードウェアを制御する処理部４２と、処理部４２で行われる演算処理等を実行させるプログラムが格納されたＲＯＭ４６と、処理部４２の演算処理中に生じるデータを記憶するＲＡＭ４５とを備えている。データ入力部４１に入力された画像データは、処理部４２に与えられる。処理部４２は、与えられた画像データに後述する抽出範囲を設定して画像データの抽出を行うと共に、回転補正を施して表示部４３の表示画面４３１に表示させる。
【００７２】
図９は、実施の形態３における画像データの抽出方法及び回転補正の方法を説明する説明図である。図中（ａ）及び（ｂ）は、夫々撮像装置１に記憶された縦撮り画像データと、表示装置４の処理部４２により抽出範囲の設定及び回転補正が施された縦撮り画像データを示す。図中の斜線で示された部分は、画像データに設定された抽出範囲を示す。図中（ａ）に示す縦撮り画像データは、撮像面１３１のアスペクト比と同一のアスペクト比１６：９の横転画像となっており、回転角度＋９０度の回転情報を含んでいる。
【００７３】
図中（ｂ）に示す例では、回転情報を基に縦撮り画像データに−９０度の回転補正を施して得られた縦長の正立画像にアスペクト比４：３の矩形状の縦長の抽出範囲が設定されている。処理部４２は、抽出範囲内の画像データを抽出して表示部４３の表示画面４３１に表示する。これにより、縦撮り画像データの全範囲が表示される場合と比較して表示装置４の表示画面４３１に表示される縦撮り画像の両脇に位置する空白部分が狭くなり見栄え良く表示される。アスペクト比が４：３となる抽出範囲を設定する例を示したが、これに限るものではなく、アスペクト比１６：９の比率よりも小さい比率を有する矩形状の抽出範囲であれば良い。
【００７４】
図１０は、実施の形態３における撮像処理の手順を示すフローチャートである。撮像処理は、撮像装置１の処理部１４によりＲＯＭ１９から読込んだプログラムに従って実行される。処理部１４は、受付部１２に撮影者による操作を受付けさせる（ステップＳ４１）。処理部１４は、受付部１２が受付けた操作が、縦撮り及び横撮りのいずれの状態にあるかを選択指示する操作であるか否かを判定する（ステップＳ４２）。処理部１４は、選択指示でないと判定した場合（ステップＳ４２でＮＯ）、姿勢センサ１１から姿勢信号を取得する（ステップＳ４３）。
【００７５】
処理部１４は、シャッタボタン２０の押下を検知したか否かを判定する（ステップＳ４４）。処理部１４は、縦撮り又は横撮りのいずれの状態にあるかを選択指示する操作であるか否かを判定するステップＳ４２において、選択指示であると判定した場合（ステップＳ４２でＹＥＳ）、姿勢センサ１１から姿勢信号の取得を行わずに、シャッタボタン２０の押下を検知したか否かを判定する（ステップＳ４４）。
【００７６】
処理部１４は、押下を検知していないと判定した場合（ステップＳ４４でＮＯ）、受付部１２に撮影者による操作を受付けさせるステップＳ４１に処理を戻す。処理部１４は、押下を検知したと判定した場合（ステップＳ４４でＹＥＳ）、縦撮り又は横撮りに係る回転角度を示す回転情報を取得した画像データに付加する（ステップＳ４５）。処理部１４は、画像データを記憶媒体書込部１５に与えて記憶媒体書込部１５に挿入された記憶媒体に記憶し（ステップＳ４６）、撮影処理を終了する。
【００７７】
図１１は、実施の形態３における表示処理の手順を示すフローチャートである。表示処理は、ＲＯＭ４６から処理部４２が読込んだプログラムに従って実行される。処理部４２は、受付部４４に撮影者による操作を受付けさせる（ステップＳ５１）。処理部４２は、受付部４４が受付けた操作が、抽出範囲の設定の無効を指示する操作及びワイド撮影モードの設定を指示する操作のいずれの操作であるかを判定する（ステップＳ５２）。処理部４２は、抽出範囲の設定の無効を指示する操作であると判定した場合（ステップＳ５２で“無効”）、無効フラグをセットする（ステップＳ５３）。
【００７８】
処理部４２は、ワイド撮影モードの設定を指示する操作であると判定した場合（ステップＳ５２で“ワイド”）、ワイドフラグをセットする（ステップＳ５４）。処理部４２は、データ入力部４１に画像データが入力されたか否かを判定する（ステップＳ５５）。処理部４２は、入力されていないと判定した場合（ステップＳ５５でＮＯ）、受付部４４に撮影者による操作を受付けさせるステップＳ５１に処理を戻す。処理部４２は、入力されたと判定した場合（ステップＳ５５でＹＥＳ）、無効フラグがセットされているか否かを判定する（ステップＳ５６）。
【００７９】
処理部４２は、無効フラグがセットされていると判定した場合（ステップＳ５６でＹＥＳ）、後述する全範囲の画像データを表示するステップＳ６３に処理を移す。処理部４２は、無効フラグがセットされていないと判定した場合（ステップＳ５６でＮＯ）、ワイドフラグがセットされているか否かを判定する（ステップＳ５７）。処理部４２は、ワイドフラグがセットされていると判定した場合（ステップＳ５７でＹＥＳ）、データ入力部４１に入力された画像データに含まれる回転情報を取得する（ステップＳ５８）。
【００８０】
処理部４２は、取得した回転情報に基づいて縦撮りの状態であるか否かを判定する（ステップＳ５９）。処理部４２は、縦撮りの状態であると判定した場合（ステップＳ５９でＹＥＳ）、入力された画像データに前述の抽出範囲を設定する（ステップＳ６０）。処理部４２は、無効フラグがセットされているか否かを判定する（ステップＳ６１）。また、処理部４２は、ワイドフラグがセットされているか否かを判定するステップＳ５７においてセットされていないと判定した場合（ステップＳ５７でＮＯ）、又は縦撮りの状態にあるか否かを判定するステップＳ５９において縦撮りの状態にないと判定した場合（ステップＳ５９でＮＯ）、無効フラグがセットされているか否かを判定するステップＳ６１に処理を移す。
【００８１】
処理部４２は、無効フラグがセットされていないと判定した場合（ステップＳ６１でＮＯ）、入力された画像データから設定された抽出範囲に含まれる画像データを抽出して表示部４３の表示画面４３１に表示し（ステップＳ６２）、受付部４４に撮影者による操作を受付けさせるステップＳ５１に処理を戻す。処理部４２は、無効フラグがセットされていると判定した場合（ステップＳ６１でＹＥＳ）、入力された画像データの全範囲を表示部４３の表示画面４３１に表示し（ステップＳ６３）、受付部４４に撮影者による操作を受付けさせるステップＳ５１に処理を戻す。
【００８２】
本実施の形態３は以上の如き構成としてあり、その他の構成及び作用は実施の形態１と同様であるので対応する部分には同一の参照番号を付してその詳細な説明を省略する。
【図面の簡単な説明】
【００８３】
【図１】実施の形態１に係る撮像装置及び記憶媒体の構成を示すブロック図である。
【図２】実施の形態１に係る縦撮りにおける画像データの抽出方法を説明する説明図である。
【図３】実施の形態１に係る画像データの抽出処理の手順を示すフローチャートである。
【図４】実施の形態１に係る画像データの抽出処理の手順を示すフローチャートである。
【図５】実施の形態２に係る横撮りにおける画像データの抽出方法を説明する説明図である。
【図６】実施の形態２に係る画像データの抽出処理の手順を示すフローチャートである。
【図７】実施の形態２に係る画像データの抽出処理の手順を示すフローチャートである。
【図８】実施の形態３における撮像表示システムの構成を示すブロック図である。
【図９】実施の形態３における画像データの抽出方法及び回転補正の方法を説明する説明図である。
【図１０】実施の形態３における撮像処理の手順を示すフローチャートである。
【図１１】実施の形態３における表示処理の手順を示すフローチャートである。
【図１２】従来技術における横撮り画像データのワイド画面への表示を説明する説明図である。
【図１３】従来技術における縦撮り画像データのワイド画面への表示を説明する説明図である。
【符号の説明】
【００８４】
１  撮像装置
２  記憶媒体
１１  姿勢センサ
１２  受付部
１３  撮像素子
１４  処理部
１５  記憶媒体書込部
１６  データ出力部
１７  表示部
１８  ＲＡＭ
１９  ＲＯＭ
２０  シャッタボタン
１３１  撮像面
【図１】
2008288909.tif 000003
【図２】
2008288909.tif 000004
【図３】
2008288909.tif 000005
【図４】
2008288909.tif 000006
【図５】
2008288909.tif 000007
【図６】
2008288909.tif 000008
【図７】
2008288909.tif 000009
【図８】
2008288909.tif 000010
【図９】
2008288909.tif 000011
【図１０】
2008288909.tif 000012
【図１１】
2008288909.tif 000013
【図１２】
2008288909.tif 000014
【図１３】
2008288909.tif 000015